【事件の表示】
　特願２０００−２７７３６５「コンピュータ及びコンピュータに於けるデジタルオーディオビデオデータの再生方法」拒絶査定不服審判事件〔平成１４年　３月２９日出願公開、特開２００２−　９３１２０〕について、次のとおり審決する。
【結　論】
　本件審判の請求は、成り立たない。
【理　由】
第１　手続の経緯
　
　本願は、平成１２年９月１２日に出願したものであって、平成１９年１２月２１日付けの拒絶理由通知に対する応答期間内の平成２０年３月１０日付けで手続補正がなされたが、同年４月９日付けで拒絶査定がなされ、これに対し、同年５月１４日付けで拒絶査定不服審判が請求されるとともに手続補正がなされた。
　その後、平成２２年７月９日付けで前置報告書を利用した審尋がなされたが、回答書は提出されなかったものである。
　
第２　平成２０年５月１４日付けの手続補正についての補正却下の決定
　
［補正却下の決定の結論］
　平成２０年５月１４日付けの手続補正を却下する。
　
［理由］
１．本件補正
　平成２０年５月１４日付けの手続補正（以下「本件補正」という。）は、明細書の特許請求の範囲については、本件補正前（平成２０年３月１０日付け手続補正書参照）に、
　
「【請求項１】　ディスクメディアに記憶されているデータを再生する第１再生手段と、　ストレージメディアに記憶されているデータを再生する第２再生手段と、
　前記第１再生手段と前記第２再生手段の少なくとも一方によるデータの再生順を記憶するプレイリストと、
　前記第１再生手段または前記第２再生手段の再生動作終了時に、直前まで再生していたデータの識別情報を得て、この情報を少なくとも次の再生開始時まで記憶する手段と、
　データの再生を指示するハードウェアスイッチと、
　前記第１再生手段と前記第２再生手段が電源を供給されていない間も電源が供給されており、前記ハードウェアスイッチが操作されると、前記プレイリストに従って前記第１再生手段と前記第２再生手段の少なくとも一方を起動し、前記プレイリスト及び前記記憶手段に記憶されている識別情報に応じたデータから再生開始させる制御部と、
　を具備するコンピュータ。
　【請求項２】　データの再生順を記憶するプレイリストと、
　ディスクメディアに記憶されているデータを再生する第１再生手段と、
　ストレージメディアに記憶されているデータを再生する第２再生手段と、
　前記第１再生手段または前記第２再生手段の再生動作終了時に、直前まで再生していたデータの識別情報を得て、この情報を少なくとも次の再生開始時まで記憶する手段と、
　前記ディスクメディアまたは前記ストレージメディアを選択するハードウェアスイッチと、
　前記第１再生手段と前記第２再生手段が電源を供給されていない間も電源が供給されており、前記ハードウェアスイッチによる選択に応じて前記第１再生手段または前記第２再生手段を起動し、前記プレイリスト及び前記記憶手段に記憶されている識別情報に応じたデータから再生開始させる制御部と、
　を具備するコンピュータ。
　【請求項３】　ディスクメディアに記憶されているデータを再生する第１再生手段と、　ストレージメディアに記憶されているデータを再生する第２再生手段と、
　前記第１再生手段と前記第２再生手段の少なくとも一方によるデータの再生順を記憶するプレイリストと、
　データの再生を指示するハードウェアスイッチとを具備するコンピュータに於けるデジタルオーディオビデオデータの再生方法において、
　前記第１再生手段または前記第２再生手段の再生動作終了時に、直前まで再生していたデータの識別情報を得て、この情報を少なくとも次の再生開始時まで記憶するステップと、　前記ハードウェアスイッチが操作されると、前記プレイリストに従って前記第１再生手段と前記第２再生手段の少なくとも一方を起動し、前記プレイリスト及び前記識別情報に応じたデータから再生開始させるステップと、
　を具備するデジタルオーディオビデオデータの再生方法。
　【請求項４】　データの再生順を記憶するプレイリストと、
　ディスクメディアに記憶されているデータを再生する第１再生手段と、
　ストレージメディアに記憶されているデータを再生する第２再生手段と、
　前記ディスクメディアまたは前記ストレージメディアを選択するハードウェアスイッチとを具備するコンピュータに於けるデジタルオーディオビデオデータの再生方法において、
　前記第１再生手段または前記第２再生手段の再生動作終了時に、直前まで再生していたデータの識別情報を得て、この情報を少なくとも次の再生開始時まで記憶するステップと、
　前記ハードウェアスイッチによる選択に応じて前記第１再生手段または前記第２再生手段を起動し、前記プレイリスト及び前記識別情報に応じたデータから再生開始させるステップと、
　を具備することを特徴とするデジタルオーディオビデオデータの再生方法。」
　とあったところを、
　
本件補正後、
「【請求項１】　ディスクメディアに記憶されているデータを再生する第１再生手段と、
　
前記ディスクメディアをストレージメディアとして使用したときの該メディアに記憶されているデータを再生する第２再生手段と
　前記第１再生手段と前記第２再生手段の少なくとも一方によるデータの再生順を記憶するプレイリストと、
　前記第１再生手段または前記第２再生手段の再生動作終了時に、直前まで再生していたデータの識別情報を得て、この情報を少なくとも次の再生開始時まで記憶する手段と、
　データの再生を指示するハードウェアスイッチと、
　前記第１再生手段と前記第２再生手段が電源を供給されていない間も電源が供給されており、前記ハードウェアスイッチが操作されると、前記プレイリストに従って前記第１再生手段と前記第２再生手段の少なくとも一方を起動し、前記プレイリスト及び前記記憶手段に記憶されている識別情報に応じたデータから再生開始させる制御部と、
　を具備するコンピュータ。
　【請求項２】　データの再生順を記憶するプレイリストと、
　ディスクメディアに記憶されているデータを再生する第１再生手段と、
　
前記ディスクメディアをストレージメディアとして使用したときの該メディアに記憶されているデータを再生する第２再生手段と
　前記第１再生手段または前記第２再生手段の再生動作終了時に、直前まで再生していたデータの識別情報を得て、この情報を少なくとも次の再生開始時まで記憶する手段と、
　前記ディスクメディアまたは前記ストレージメディアを選択するハードウェアスイッチと、
　前記第１再生手段と前記第２再生手段が電源を供給されていない間も電源が供給されており、前記ハードウェアスイッチによる選択に応じて前記第１再生手段または前記第２再生手段を起動し、前記プレイリスト及び前記記憶手段に記憶されている識別情報に応じたデータから再生開始させる制御部と、
　を具備するコンピュータ。
　【請求項３】　ディスクメディアに記憶されているデータを再生する第１再生手段と、
　
前記ディスクメディアをストレージメディアとして使用したときの該メディアに記憶されているデータを再生する第２再生手段と
　前記第１再生手段と前記第２再生手段の少なくとも一方によるデータの再生順を記憶するプレイリストと、
　データの再生を指示するハードウェアスイッチとを具備するコンピュータに於けるデジタルオーディオビデオデータの再生方法において、
　前記第１再生手段または前記第２再生手段の再生動作終了時に、直前まで再生していたデータの識別情報を得て、この情報を少なくとも次の再生開始時まで記憶するステップと、　前記ハードウェアスイッチが操作されると、前記プレイリストに従って前記第１再生手段と前記第２再生手段の少なくとも一方を起動し、前記プレイリスト及び前記識別情報に応じたデータから再生開始させるステップと、
　を具備するデジタルオーディオビデオデータの再生方法。
　【請求項４】　データの再生順を記憶するプレイリストと、
　ディスクメディアに記憶されているデータを再生する第１再生手段と、
　
前記ディスクメディアをストレージメディアとして使用したときの該メディアに記憶されているデータを再生する第２再生手段と
　前記ディスクメディアまたは前記ストレージメディアを選択するハードウェアスイッチとを具備するコンピュータに於けるデジタルオーディオビデオデータの再生方法において、
　前記第１再生手段または前記第２再生手段の再生動作終了時に、直前まで再生していたデータの識別情報を得て、この情報を少なくとも次の再生開始時まで記憶するステップと、
　前記ハードウェアスイッチによる選択に応じて前記第１再生手段または前記第２再生手段を起動し、前記プレイリスト及び前記識別情報に応じたデータから再生開始させるステップと、
　を具備することを特徴とするデジタルオーディオビデオデータの再生方法。」
　と補正しようとするものである。
　
２．補正の適否
　
　本件補正の具体的内容は、本件補正前の各請求項において、発明特定事項である「ストレージメディアに記録されているデータを再生する第２の再生手段」を、
　本件補正により
「前記ディスクメディアをストレージメディアとして使用したときの該メディアに記憶されているデータを再生する第２の再生手段」とするものである。
　
　そこで、願書に最初に添付した明細書又は図面（以下「当初明細書等」という。）をみると、
「ディスクメディア」及び「ストレージメディア（ＨＤ）から供給されるサウンドデータ」に関して、
「【００４６】モードコントロールスイッチ１１６は、
ＣＤ、ＤＶＤ等のディスクメディア、またはデジタルサウンドデータを再生対象として選択し再生
ＣＤ、ＤＶＤ等のディスクメディアの再生を指示する際
ＭＰ３データ等のデジタルサウンドデータの再生を指示する際
「【００５５】ディスクドライブ（ＣＤ／ＤＶＤ−ＤＲＶ）２１には、
オーディオデータが記録されたＣＤ−ＲＯＭ、ＤＶＤ−ＲＯＭ、オーディオ及びビデオデータが記録されたＣＤ−ＲＯＭ、ＤＶＤ−ＲＯＭ等のディスクメディア２０
「【００５９】サウンドコントローラ２０３は、ディスクドライブ（ＣＤ／ＤＶＤ−ＤＲＶ）２１から読み出されたオーディオ信号ＣＤ−ｄｉｒｅｃｔや、マイクロフォン（ＭＩＣ）からの入力信号、あるいはＣＰＵ２０１を通じて
例えばハードディスク装置（ＨＤＤ）２１０から供給されるＭＰ３データ等、各種のサウンドデータ（デジタルオーディオデータ）
「【００６８】図８は本発明の一実施形態によるパーソナルコンピュータのオーディオデータ再生機能の処理手順を示すフローチャートであり、ここでは
モードコントロールスイッチ１１６の操作ノブ１１６ａが左方向のスライド位置（ＰＭ）に操作された際に、ＣＤ／ＤＶＤの再生処理が実行され、モードコントロールスイッチ１１６の操作ノブ１１６ａが右方向のスライド位置（ＰＤ）に操作された際に、プレイリスト３０２を用いたデジタルサウンドデータの再生処理が実行される
【００６９】図９は本発明の他の実施形態によるパーソナルコンピュータのオーディオデータ再生機能の処理手順を示すフローチャートであり、ここでは上記した
モードコントロールスイッチ１１６が何れかのスライド位置に操作された際、若しくはオーディオ再生を指示する他のハードウェアスイッチが押下された際に、プレイリスト３０２の登録内容に従う音源（ＣＤ／ＤＶＤ／デジタルサウンドデータ）の再生処理が実行される
【００７０】図１０は上記一実施形態に於ける再生処理の流れを示す図であり、システム稼働中に
モードコントロールスイッチ１１６が操作されると、当該スイッチ操作がＢＩＯＳからＯＳ経由でボタン操作を管理するプログラム（ＳＭＧプログラムと称す）に通知される。ＳＭＧプログラムは、上記通知を受けると、そのスイッチの操作内容に従い、再生駆動の対象となるプレーヤアプリケーションプログラム（ＣＤプレーヤアプリケーション／ＤＶＤプレーヤアプリケーション／デジタルサウンドデータプレーヤアプリケーション）が起動される
　
　これらの記載から、ディスクメディアとストレージメディア（ＨＤ）から供給されるサウンドデータとは独立して再生処理が実行されることは記載されているが、「ディスクメディアをストレージメディアとして使用」することについては記載がない。
　
　結局、本件補正は、当初明細書等に記載した事項の範囲内においてなされたものではない。
　
３．本件補正についてのむすび
　
　したがって、本件補正は、平成１４年法律第２４号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。
　
第３　本願発明について
　
１．本願発明
　
　平成２０年５月１４日付けの手続補正は、上記のとおり却下されたので、本願請求項１乃至４に係る発明は、平成２０年３月１０日付け手続補正によって補正された明細書の特許請求の範囲の請求項１乃至４に記載された事項により特定されるものと認められるところ、請求項３に係る発明（以下「本願発明」という。）は、上記「第２［理由］１．」の本件補正前の請求項３に記載されたとおりである。
　
２．引用例
　
　これに対し、原査定の拒絶の理由に引用された特開２０００−１４９３８６号公報（平成１２年５月３０日公開、以下「引用例１」という。）には、図面と共に、以下の記載がある。（なお、下線は当審で付与した。）
　
（１）「【０００１】
【発明の属する技術分野】本発明は、種類の異なる複数の記録媒体を再生できる再生装置に関するものである。」
　
（２）「【００１０】一般ユーザが使用する記録再生装置１０は、詳しくは後述するが、内部に大容量のデータファイル格納部（例えば図３のハードディスクドライブ１５）を備えるとともに、ＣＤ、ＭＤなどのパッケージメディアのドライブ機能や、他の機器からのデータ入力機能、通信回線を介したデータ入力機能などを備えており、ＣＤ、ＣＤ−ＲＯＭ、ＭＤなどのユーザーが購入したメディアから再生される
オーディオデータ、ビデオデータ
データ
　
（３）「【００１６】図２に示すように記録再生装置１０は例えばユーザーの家庭での使用に適するように、いわゆるラジカセ型の機器とされている。もちろんコンポーネントタイプでもよい。この
記録再生装置１０には、ユーザーが各種操作を行うための各種の操作子Ｋａとして、操作キーや操作つまみ、ジョグダイヤルと呼ばれる回動プッシュ式のキーなどが、機器前面パネルなどに設けられている
　
（４）「【００２４】３．記録再生装置の内部構成
続いて記録再生装置１０の内部構成例を図３で説明する。この記録再生装置１０には、パネル操作部２０としてプッシュ式の回動式の操作子が設けられている。ここでいう操作子とは、図２に示した各種操作子Ｋａに相当する。つまり機器筐体上に形成される各種操作子である。尚、図２では説明していなかったが、表示部２４に操作キー表示を行うとともに表示部２４上でのタッチ検出機構を設けることで、タッチパネル操作子を形成してもよく、その場合のタッチパネル操作子も図３でいうパネル操作部２０に含まれるものとなる。この
パネル操作部２０が操作されることにより、記録再生装置１０の各種動作を実行させる
　
（５）【００２８】この
記録再生装置１０には通常のパーソナルコンピュータの構成であるＲＡＭ１３、ＲＯＭ１２、フラッシュメモリ１４が設けられており、ＣＰＵ１１により記録再生装置１０の全体の動作制御が行われる
　
（６）【００３０】
ＣＤ−ＲＯＭドライブ１７にはＣＤ方式の光ディスク（オーディオＣＤ、ＣＤ−ＲＯＭ、ＣＤテキスト等）が、上記ＣＤ挿入部１７から装着されると共に、１倍速或いはより高速、例えば１６倍速、３２倍速で光学ピックアップにより光ディスクに記憶される情報が読み出される
【００３１】この
記録再生装置１０の内部の大容量の格納手段としては、ハードディスクに対して情報の記録再生を行うハードディスクドライブ（hard disk drive：以下ＨＤＤという）１５が設けられている
　
（７）「【００９５】８．メディアミックスプログラム再生動作
続いて、ＣＤとＨＤＤ１５という２種類のメディアにまたがった特殊再生動作として、２つのメディアを対象としてユーザーに曲順を指定させ、その曲順で各曲を再生させていくプログラム再生動作（メディアミックスプログラム再生）を説明する。
【００９６】図１４はＨＤＤ１５内の全曲（全オーディオファイル）とＣＤに収録された全曲（全トラック）を対象として、メディアミックスプログラム再生を行うためのＣＰＵ１１の処理を示している。
ユーザーによりメディアミックスプログラム再生を指示する操作が行われる
【００９７】ステップＦ４０３で、ＲＡＭ１３の再生リスト領域に、ＨＤＤ１５の管理領域を参照して、ＨＤＤ１５に収録されているオーディオファイルをリストナンバに割り当てていく。さらにステップＦ４０４で、再生リスト領域に、ＣＤのＴＯＣデータを参照してＣＤに収録されているトラックナンバをリストナンバに割り当てていく。これにより、図１５（ａ）のような再生リストを生成する。
【００９８】即ち、再生リスト上に、リストナンバＬ１〜Ｌ２０として、ＨＤＤ１５内の２０個のオーディオファイル（ＡＬ１−Ｍ１〜ＡＬ３−Ｍ３）が割り当てられ、またリストナンバＬ２１〜Ｌ３０としてＣＤのトラック（ＴＫ＃１〜ＴＫ＃１０）が割り当てられた状態となる。この場合、リストナンバＬ１〜Ｌ２０のメディアコードは「ＨＤ」、リストナンバＬ２１〜Ｌ３０のメディアコードは「ＣＤ」となる。
【００９９】このように再生リストが生成されたら、続いてステップＦ４０５でユーザーにプログラム入力要求を行う。つまり
ユーザーの望む曲順どおりに曲を指定していく操作を求める。ユーザーはこれに応じて、ＨＤＤ１５またはＣＤに収録された曲を任意に指定していく
プログラムリストは、リストナンバでユーザーの指定したプログラム（再生順）を保存する
【０１００】ユーザーが入力完了としてエンター操作を行ったら、その時点のプログラムリストが確定され、ステップＦ４０６からＦ４０９に進む。そして変数ｍＺとしてプログラムリストでの最後のプログラムナンバをセットする。図１５（ｂ）の例の場合、ｍＺ＝８となる。またステップＦ４１０で、プログラムナンバを示す変数ｍを「１」にセットする。
【０１０１】ステップＦ４１１では、プログラムナンバＰＧ（ｍ）に対応されるリストナンバを変数ｎとしてセットする。最初はｍ＝１であり、また例えば図１５（ｂ）の例ではプログラムナンバＰＧ１に対応されるリストナンバはＬ３であるため、変数ｎ＝３となる。　
【０１０２】そしてステップＦ４１２で
ＣＰＵ１１は、リストナンバＬ（ｎ）について、再生リストのメディアコードを確認して、そのリストナンバＬ（ｎ）として割り当てられているものがＣＤのトラックであるか否かを確認する。もしリストナンバＬ（ｎ）がＨＤＤ１５収録のオーディオファイルであったら、ステップＦ４１４に進み、ＣＰＵ１１はデコーダ２９をデコードモードに設定する。逆にリストナンバＬ（ｎ）がＣＤ収録のトラックであったら、ステップＦ４１３に進み、デコーダ２９をスルーモードに設定する
【０１０３】
例えば図１５の場合、プログラムナンバＰＧ１とされたリストナンバＬ３のメディアコードは「ＨＤ」であるため、デコーダ２９はデコードモードとされステップＦ４１５に進む。ステップＦ４１５では、リストナンバＬ（ｎ）の再生を開始させる。つまりＣＰＵ１１は、リストナンバＬ（ｎ）がＨＤＤ１５の収録のオーディオファイルであったら、そのオーディオファイルの再生をＨＤＤ１５に実行させる制御を行ない、一方、リストナンバＬ（ｎ）がＣＤ収録のトラックであったら、そのトラックの再生をＣＤ−ＲＯＭドライブ１７に実行させる制御を行う。図１５の場合は、ＨＤＤ１５からリストナンバＬ３であるオーディオファイルＡＬ１−Ｍ３の再生を開始される
【０１０４】再生が開始されたら、ステップＦ４１６でユーザーによる停止操作を監視するとともに、ステップＦ４１７でリストナンバＬ（ｎ）の曲の再生終了を監視する。現在再生中の曲の再生が終了したら、ステップＦ４１８を介してステップＦ４１９に戻り、変数ｍをインクリメントしてステップＦ４１１に戻る。そしてプログラムナンバＰＧ（ｍ）に対応されるリストナンバを変数ｎとしてセットする。従って図１５の場合は、変数ｍ＝２となった時点でプログラムナンバＰＧ２に対応されるリストナンバＬ２３が選択される。この場合、リストナンバＬ２３はＣＤ収録のトラックＴＫ＃３の再生であるため、ステップＦ４１２以降の処理でデコーダ２９をスルーモードとさせた後、トラックＴＫ＃３の再生をＣＤ−ＲＯＭドライブ１７に実行させる制御を行うことになる。
【０１０５】以上のステップＦ４１１〜ステップＦ４１９の処理が繰り返されていくことで、ＨＤＤ収録曲とＣＤ収録曲を対象として、ユーザーの指定した曲順、即ちプログラムリストの曲順で各曲が再生されていくというメディアミックスプログラム再生動作が実行されていくことになる。」
　
（８）「【０１１０】又、記録再生装置として、固体メモリチップ、メモリカードなどの他の記録媒体をドライブ可能とするものであれば、そのメモリカードとＣＤなどにわたった特殊再生も可能となる。また
再生単位データが曲としてのトラックやオーディオファイルである例を述べたが、いわゆるビデオクリップ
を対象として、複数のメディアにまたがった特殊再生を行うことも可能である
　
　上記摘示事項及び図面の記載を総合勘案すると、引用例１には、次の発明（以下「引用発明」という。）が記載されているものと認める。
　
「光ディスクに記憶されているデータを読み出すＣＤ−ＲＯＭドライブと、
　ハードディスクに対してデータを記録再生するハードディスクドライブと、
　光ディスクまたはハードディスクに収録されたデータの再生順を保存するプログラムリストと、
　各種操作を行うための操作子を備えるコンピュータにおけるオーディオビデオデータの再生方法において、
　プログラム再生を指示する操作が行われると、プログラムリストの順にＣＤ−ＲＯＭドライブまたはハードディスクドライブを制御し、プログラムリストの順にデータの再生を開始させるオーディオビデオデータの再生方法。」
　
　また、拒絶査定時に提示された特開平４−３４９２７０号公報（平成４年１２月３日公開、以下「引用例２」という。）には、図面とともに、以下の記載がある。（なお、下線は当審で付与した。）
　
（９）「【００１７】このような構成を少なくとも有する装置において、
キー入力操作部８にて
リジュームモード
が切換選択される
リジュームモードに切換選択されているときには、再生停止ボタンあるいは電源オフボタン等が操作されて再生動作が停止されても、次に再生モードを再び切換選択すれば、上記再生を停止した時点の内容に続けて再生が再開される
　
（１０）「【００５３】以上のような動作によって、
リジュームモードが選択されているときには、再生停止操作時のメモリ２２からの読み出しデータについての時間情報がバックアップ用メモリに保持され、次に再生操作を行ったときには、この保持されている時間情報に対応する光ディスク上の位置にヘッドアクセス制御が行われて、記録データの読み取りが開始されるから、再生を停止した所から続けて再生が再開されることになる
　
３．対比
　
　本願発明と引用発明とを対比する。
（１）引用発明の「光ディスク」及び「データ」は、本願発明の「ディスクメディア」及び「データ」にそれぞれ相当するから、引用発明の「ＣＤ−ＲＯＭドライブ」は、本願発明の「第１再生手段」に相当する。
（２）引用発明の「ハードディスク」は、本願発明の「ストレージメディア」に相当するから、引用発明の「ハードディスクドライブ」は、本願発明の「第２再生手段」に相当する。
（３）引用発明の「プログラムリスト」は、「光ディスクまたはハードディスクに収録されたデータの再生順を保存する」ものであるから、本願発明の「前記第１再生手段と前記第２再生手段の少なくとも一方によるデータの再生順を記憶する」「プレイリスト」に相当する。
（４）引用発明の「操作子」は、「プログラム再生を指示する操作」を行うための操作子を含むのもであるから、本願発明の「ハードウェアスイッチ」に相当する。
（５）引用発明の「プログラム再生を指示する操作が行われると、プログラムリストの順にＣＤ−ＲＯＭドライブまたはハードディスクドライブを制御し、プログラムリストの順にデータの再生を開始する」ステップは、本願発明の「前記ハードウェアスイッチが操作されると、前記プレイリストに従って前記第１再生手段と前記第２再生手段の少なくとも一方を起動し、前記プレイリスト」「に応じたデータから再生開始する」ステップに相当する。
（６）引用発明の「オーディオビデオデータの再生方法」は、本願発明の「デジタルオーディオビデオデータの再生方法」に相当する。
　
　そうすると、本願発明と引用発明とは、次の点で一致する。
　
＜一致点＞
「ディスクメディアに記憶されているデータを再生する第１再生手段と、
　ストレージメディアに記憶されているデータを再生する第２再生手段と、
　前記第１再生手段と前記第２再生手段の少なくとも一方によるデータの再生順を記憶するプレイリストと、
　データの再生を指示するハードウェアスイッチとを具備するコンピュータに於けるデジタルオーディオビデオデータの再生方法において、
　前記ハードウェアスイッチが操作されると、前記プレイリストに従って前記第１再生手段と前記第２再生手段の少なくとも一方を起動し、前記プレイリストに応じたデータから再生開始させるステップと、
　を具備するデジタルオーディオビデオデータの再生方法。」
　
　そして、次の各点で相違する。
　
＜相違点＞
（ａ）本願発明は、「前記第１再生手段または前記第２再生手段の再生動作終了時に、直前まで再生していたデータの識別情報を得て、この情報を少なくとも次の再生開始時まで記憶する」ステップを具備するのに対し、引用発明は、そのようなステップを有していない点。
　
（ｂ）「データ」の「再生開始」に関して、本願発明は、「前記プレイリスト及び前記識別情報に応じたデータから再生開始させる」のに対し、引用発明は、プログラムリストの順にデータの再生を開始させる点。
　
４．判断
　
　そこで、上記各相違点について検討する。
　
相違点（ａ）について
　メディア再生に関して、引用発明及び本願発明と共通する技術分野に属する、引用例２には、再生停止時の読み出しデータに対応する時間情報をバックアップ用メモリに保持させ、次に再生動作を行ったときには、この保持されている時間情報に対応するデータから再生を再開させるリジューム機能が記載されている。
　そして、引用例２に記載されている「時間情報」は、読み出しデータに対応するものであるから、本願発明の「識別情報」に相当している。
　そうすると、引用発明において、引用例２に記載された上記リジューム機能を採用して、ＣＤ−ＲＯＭドライブまたはハードディスクドライブの再生停止時の読み出しデータに対応する時間情報を保持させ、次に再生動作を行ったときに、この保持されている時間情報に対応するデータから再生を再開させる、すなわち、相違点（ａ）の、「前記第１再生手段または前記第２再生手段の再生動作終了時に、直前まで再生していたデータの識別情報を得て、この情報を少なくとも次の再生開始時まで記憶する」ステップを具備する構成とすることは当業者が容易に想到できたものである。
　
相違点（ｂ）について
　相違点（ａ）で検討したように、リジューム機能を採用することは当業者が容易に想到できたものであり、データの再生を再開するときには「前記プレイリスト及び前記識別情報に応じたデータから再生開始させる」ことは当業者が適宜なし得るものである。
　
　そして、上記相違点を総合的に判断しても、本願発明が奏する効果は引用例１及び２から当業者が十分に予測できたものであって格別なものとはいえない。
　
　したがって、本願発明は、引用例１及び２に記載された発明に基づいて当業者が容易に発明をすることができたものである。
５．むすび
　
　以上のとおりであるから、本願請求項３に係る発明は、特許法第２９条第２項の規定により特許を受けることができない。
　したがって、本願は、その余の請求項について論及するまでもなく、拒絶すべきものである。
　
　よって、結論のとおり審決する。